【手続補正書】
【提出日】平成16年5月31日(2004.5.31)
【手続補正１】
【補正対象書類名】明細書
【補正対象項目名】特許請求の範囲
【補正方法】変更
【補正の内容】
【特許請求の範囲】
【請求項１】
ネットワークに接続された入力機器、出力機器及び情報処理装置の組み合わせによって複写機能を構成するマルチファンクションシステムにおいて、
前記情報処理装置が、
前記入力機器及び前記出力機器それぞれの機器情報を獲得する機器情報獲得手段と、
前記機器情報獲得手段によって獲得された機器情報に基づいて、前記入力機器から前記出力機器へデータを転送するパスを示す転送パス情報を生成する転送パス情報生成手段と、
前記転送パス情報生成手段によって生成された転送パス情報を、前記入力機器あるいは前記出力機器に供給する転送パス情報供給手段と、
前記入力機器及び前記出力機器の組み合わせがユーザと関連付けられたユーザ情報を生成するユーザ情報生成手段とを有し、
前記入力機器あるいは前記出力機器が、
該機器固有の情報を前記情報処理装置に対し送信する機器情報供給手段と、
前記転送パス情報を前記情報処理装置から獲得する転送パス情報獲得手段と、
前記ユーザ情報を前記情報処理装置から獲得するユーザ情報獲得手段と、
前記転送パス情報獲得手段が獲得した一個以上の転送パス情報のうちから何れかを選択する転送パス情報選択手段と、
前記ユーザ情報獲得手段が獲得した一個以上のユーザ情報のうちから何れかを選択するユーザ情報選択手段と、
前記選択された転送パス情報及びユーザ情報に従って前記入力機器から出力機器へデータを転送するデータ転送手段とを有することを特徴とするマルチファンクションシステム。
【請求項２】
前記転送パス情報生成手段が、前記転送パス情報を設定する転送パス情報設定手段を含むことを特徴とする請求項１記載のマルチファンクションシステム。
【請求項３】
前記転送パス情報獲得手段が、前記各機器に関連のある転送パス情報を前記情報処理装置から獲得し、
前記転送パス情報供給手段が、前記各機器の転送要求に従って、要求された機器に関連のある転送パス情報を供給することを特徴とする請求項１記載のマルチファンクションシステム。
【請求項４】
前記入力機器あるいは前記出力機器が、
前記転送パス情報をデータベースに保管する転送パス情報保管手段を有し、
前記転送パス選択手段は、前記各機器の転送パス情報保管手段に保管された一個以上の転送パス情報から１つを選択することを特徴とする請求項１記載のマルチファンクションシステム。
【請求項５】
ネットワークに接続された入力機器、出力機器及び情報処理装置の組み合わせによって複写機能を構成するマルチファンクションシステムにおいて、
前記情報処理装置が、
前記入力機器及び前記出力機器それぞれの機器情報を獲得する機器情報獲得手段と、
前記機器情報獲得手段によって獲得された機器情報に基づいて、前記入力機器から前記出力機器へデータを転送するパスを示す転送パス情報を生成する転送パス情報生成手段と、
前記転送パス情報生成手段によって生成された転送パス情報を、前記入力機器に供給する転送パス情報供給手段と、
前記入力機器及び前記出力機器の組み合わせがユーザと関連付けられたユーザ情報を生成するユーザ情報生成手段とを有し、
前記入力機器及び前記出力機器のそれぞれが、
該機器固有の情報を前記情報処理装置に対し送信する機器情報供給手段を有し、
前記入力機器が、
前記転送パス情報を前記情報処理装置から獲得する転送パス情報獲得手段と、
前記ユーザ情報を前記情報処理装置から獲得するユーザ情報獲得手段と、
前記転送パス情報獲得手段が獲得した一個以上の転送パス情報のうちから何れかを選択する転送パス情報選択手段と、
前記ユーザ情報獲得手段が獲得した一個以上のユーザ情報のうちから何れかを選択するユーザ情報選択手段と、
前記選択された転送パス情報及びユーザ情報に従って、前記出力機器に出力動作を行わせる出力手段とを有することを特徴とするマルチファンクションシステム。
【請求項６】
前記転送パス情報生成手段が、前記転送パス情報を設定する転送パス情報設定手段を含むことを特徴とする請求項５記載のマルチファンクションシステム。
【請求項７】
前記入力機器が有する転送パス情報獲得手段が、前記入力機器に関連のある転送パス情報を前記情報処理装置から獲得し、
前記情報処理装置が有する前記転送パス情報供給手段が、前記入力機器の転送要求に従って、要求された機器に関連のある前記転送パス情報を供給することを特徴とする請求項５記載のマルチファンクションシステム。
【請求項８】
前記入力機器が、
前記転送パス情報をデータベースに保管する転送パス情報保管手段と、
前記入力機器の転送パス情報保管手段に保管された一個以上の転送パス情報から１つを選択する転送パス情報選択手段とを有することを特徴とする請求項５記載のマルチファンクションシステム。
【請求項９】
ネットワークに接続された入力機器、出力機器及び情報処理装置の組み合わせによって複写機能を構成するマルチファンクションシステムにおいて、
前記情報処理装置が、
前記入力機器及び前記出力機器それぞれの機器情報を獲得する機器情報獲得手段と、
前記機器情報獲得手段によって獲得された機器情報に基づいて、前記入力機器から前記出力機器へデータを転送するパスを示す転送パス情報を生成する転送パス情報生成手段と、
前記転送パス情報生成手段によって生成された転送パス情報を、前記出力機器に供給する転送パス情報供給手段と、
前記入力機器及び前記出力機器の組み合わせがユーザと関連付けられたユーザ情報を生成するユーザ情報生成手段とを有し、
前記入力機器及び前記出力機器のそれぞれが、
該機器固有の情報を前記情報処理装置に対し送信する機器情報供給手段を有し、
前記出力機器が、
前記転送パス情報を前記情報処理装置から獲得する転送パス情報獲得手段と、
前記ユーザ情報を前記情報処理装置から獲得するユーザ情報獲得手段と、
前記転送パス情報獲得手段が獲得した一個以上の転送パス情報のうちから何れかを選択する転送パス情報選択手段と、
前記ユーザ情報獲得手段が獲得した一個以上のユーザ情報のうちから何れかを選択するユーザ情報選択手段と、
前記選択された転送パス情報及びユーザ情報に従って、前記入力機器に入力動作を行わせる入力手段とを有することを特徴とするマルチファンクションシステム。
【請求項１０】
前記転送パス情報生成手段が、前記転送パス情報を設定する転送パス情報設定手段を含むことを特徴とする請求項９記載のマルチファンクションシステム。
【請求項１１】
前記出力機器が有する転送パス情報獲得手段が、前記出力機器に関連のある転送パス情報を前記情報処理装置から獲得し、
前記情報処理装置が有する前記転送パス情報供給手段が、前記出力機器の転送要求に従って、要求された機器に関連のある前記転送パス情報を供給することを特徴とする請求項９記載のマルチファンクションシステム。
【請求項１２】
前記出力機器が、
前記転送パス情報をデータベースに保管する転送パス情報保管手段を有し、
前記転送パス情報選択手段は、前記出力機器の転送パス情報保管手段に保管された一個以上の転送パス情報から１つを選択することを特徴とする請求項９記載のマルチファンクションシステム。
【請求項１３】
ネットワークに接続された入力機器から出力機器へデータを転送して複写機能を構成するマルチファンクションシステムにおいて、
前記入力機器及び前記出力機器にそれぞれ固有な機器情報を獲得する機器情報獲得手段と、
獲得された機器情報に基づいて、前記入力機器から前記出力機器へデータを転送するパスを示す転送パス情報を生成する転送パス情報生成手段と、
前記生成された転送パス情報を、前記入力機器あるいは前記出力機器の転送要求に従って供給する転送パス情報供給手段と、
前記供給された転送パス情報に従って、前記入力機器から出力機器へデータを転送するデータ転送手段とを有することを特徴とするマルチファンクションシステム。
【請求項１４】
前記転送パス情報生成手段が、前記転送パス情報を設定する転送パス情報設定手段を含むことを特徴とする請求項１３記載のマルチファンクションシステム。
【請求項１５】
前記転送パス情報供給手段が供給した一個以上の転送パス情報のうちから１つを選択する転送パス情報選択手段を更に有することを特徴とする請求項１３記載のマルチファンクションシステム。
【請求項１６】
前記転送パス情報供給手段が、前記各機器の転送要求に従って、要求された機器に関連のある前記転送パス情報を供給することを特徴とする請求項１３記載のマルチファンクションシステム。
【請求項１７】
ネットワークに接続された入力機器から出力機器へデータを転送して複写機能を構成するマルチファンクションシステムにおけるデータ転送方法であって、
前記入力機器及び前記出力機器にそれぞれ固有な機器情報に基づいて、前記入力機器から前記出力機器へデータを転送するパスを示す転送パス情報を生成し、
前記入力機器あるいは前記出力機器の転送要求に従って供給された転送パス情報に従って、前記入力機器から出力機器へデータを転送することを特徴とするデータ転送方法。
【請求項１８】
前記転送パス情報の生成は、前記転送パス情報を設定する工程を含むことを特徴とする請求項１７記載のデータ転送方法。
【請求項１９】
前記供給した一個以上の転送パス情報のうちから１つを選択する工程を更に有することを特徴とする請求項１７記載のデータ転送方法。
【請求項２０】
前記転送パス情報の供給では、前記各機器の転送要求に従って、要求された機器に関連のある前記転送パス情報を供給することを特徴とする請求項１７記載のデータ転送方法。
【請求項２１】
ネットワークに接続された入力機器から出力機器へデータを転送して複写機能を構成するマルチファンクションシステムにおけるデータ転送制御プログラムをコンピュータ読取り可能に記憶する記憶媒体であって、
前記データ転送制御プログラムが、
前記入力機器及び前記出力機器にそれぞれ固有な機器情報を獲得するモジュールと、
獲得した機器情報をデータベースに保管するモジュールと、
保管された機器情報に基づいて、前記入力機器から前記出力機器へデータを転送するパスを示す転送パス情報を生成するモジュールと、
生成された転送パス情報をデータベースに保管するモジュールと、
保管された転送パス情報を、前記入力機器あるいは前記出力機器の転送要求に従って供給するモジュールとを含むことを特徴とする記憶媒体。
【請求項２２】
ネットワークに接続された入力機器から出力機器へデータを転送して複写機能を構成するマルチファンクションシステムにおけるデータ転送制御プログラムをコンピュータ読取り可能に記憶する記憶媒体であって、
前記データ転送制御プログラムが、
自機器固有の情報を送信するモジュールと、
保管される自機器を含んで入力機器から出力機器へデータを転送するパスを示す転送パス情報を獲得するモジュールと、
獲得した一個以上の転送パス情報のうちから一つを選択するモジュールと、
選択した転送パス情報に従って、前記自機器と他機器間でデータを転送するモジュールとを含むことを特徴とする記憶媒体。
【手続補正２】
【補正対象書類名】明細書
【補正対象項目名】００１０
【補正方法】変更
【補正の内容】
【００１０】
【課題を解決するための手段】
上記の課題を克服するため、本発明によるマルチファンクションシステムは、ネットワークに接続された入力機器、出力機器及び情報処理装置の組み合わせによって複写機能を構成するマルチファンクションシステムにおいて、前記情報処理装置が、前記入力機器及び前記出力機器それぞれの機器情報を獲得する機器情報獲得手段と、前記機器情報獲得手段によって獲得された機器情報に基づいて、前記入力機器から前記出力機器へデータを転送するパスを示す転送パス情報を生成する転送パス情報生成手段と、前記転送パス情報生成手段によって生成された転送パス情報を、前記入力機器あるいは前記出力機器に供給する転送パス情報供給手段と、前記入力機器及び前記出力機器の組み合わせがユーザと関連付けられたユーザ情報を生成するユーザ情報生成手段とを有し、前記入力機器あるいは前記出力機器が、該機器固有の情報を前記情報処理装置に対し送信する機器情報供給手段と、前記転送パス情報を前記情報処理装置から獲得する転送パス情報獲得手段と、前記ユーザ情報を前記情報処理装置から獲得するユーザ情報獲得手段と、前記転送パス情報獲得手段が獲得した一個以上の転送パス情報のうちから何れかを選択する転送パス情報選択手段と、前記ユーザ情報獲得手段が獲得した一個以上のユーザ情報のうちから何れかを選択するユーザ情報選択手段と、前記選択された転送パス情報及びユーザ情報に従って前記入力機器から出力機器へデータを転送するデータ転送手段とを有することを特徴とする。
【手続補正３】
【補正対象書類名】明細書
【補正対象項目名】００１１
【補正方法】変更
【補正の内容】
【００１１】
ここで、前記転送パス情報生成手段が、前記転送パス情報を設定する転送パス情報設定手段を含む。また、前記転送パス情報獲得手段が、前記各機器に関連のある転送パス情報を前記情報処理装置から獲得し、前記転送パス情報供給手段が、前記各機器の転送要求に従って、要求された機器に関連のある転送パス情報を供給する。また、前記入力機器あるいは前記出力機器が、前記転送パス情報をデータベースに保管する転送パス情報保管手段を有し、前記転送パス選択手段は、前記各機器の転送パス情報保管手段に保管された一個以上の転送パス情報から１つを選択する。
【手続補正４】
【補正対象書類名】明細書
【補正対象項目名】００１２
【補正方法】変更
【補正の内容】
【００１２】
又、本発明のデータ転送方法は、ネットワークに接続された入力機器から出力機器へデータを転送して複写機能を構成するマルチファンクションシステムにおけるデータ転送方法であって、前記入力機器及び前記出力機器にそれぞれ固有な機器情報に基づいて、前記入力機器から前記出力機器へデータを転送するパスを示す転送パス情報を生成し、前記入力機器あるいは前記出力機器の転送要求に従って供給された転送パス情報に従って、前記入力機器から出力機器へデータを転送することを特徴とする。ここで、前記転送パス情報の生成は、前記転送パス情報を設定する工程を含む。また、前記供給した一個以上の転送パス情報のうちから１つを選択する工程を更に有する。また、前記転送パス情報の供給では、前記各機器の転送要求に従って、要求された機器に関連のある前記転送パス情報を供給する。
【手続補正５】
【補正対象書類名】明細書
【補正対象項目名】００１３
【補正方法】変更
【補正の内容】
【００１３】
又、本発明の記憶媒体は、ネットワークに接続された入力機器から出力機器へデータを転送して複写機能を構成するマルチファンクションシステムにおけるデータ転送制御プログラムをコンピュータ読取り可能に記憶する記憶媒体であって、前記データ転送制御プログラムが、前記入力機器及び前記出力機器にそれぞれ固有な機器情報を獲得するモジュールと、獲得した機器情報をデータベースに保管するモジュールと、保管された機器情報に基づいて、前記入力機器から前記出力機器へデータを転送するパスを示す転送パス情報を生成するモジュールと、生成された転送パス情報をデータベースに保管するモジュールと、保管された転送パス情報を、前記入力機器あるいは前記出力機器の転送要求に従って供給するモジュールとを含むことを特徴とする。
【手続補正６】
【補正対象書類名】明細書
【補正対象項目名】００１４
【補正方法】変更
【補正の内容】
【００１４】
また、ネットワークに接続された入力機器から出力機器へデータを転送して複写機能を構成するマルチファンクションシステムにおけるデータ転送制御プログラムをコンピュータ読取り可能に記憶する記憶媒体であって、前記データ転送制御プログラムが、自機器固有の情報を送信するモジュールと、保管される自機器を含んで入力機器から出力機器へデータを転送するパスを示す転送パス情報を獲得するモジュールと、獲得した一個以上の転送パス情報のうちから一つを選択するモジュールと、選択した転送パス情報に従って、前記自機器と他機器間でデータを転送するモジュールとを含むことを特徴とする